(57)【特許請求の範囲】
【請求項１】
縦方向および前記縦方向に直交する横方向を有し、シャーシと、ウエスト開口と、一対のレッグ開口とを備えたプルオン物品であって、
前記シャーシは、前記横方向に対向する第１側縁と、前記第１側縁の間の第１端縁とを有し、少なくとも熱可塑性の繊維を含む繊維不織布で形成された第１ウエスト域、
前記横方向に対向する第２側縁と、前記第２側縁の間にあり且つ前記第１端縁と前記縦方向に対向する第２端縁とを有し、少なくとも熱可塑性の繊維を含む繊維不織布で形成された第２ウエスト域、
および前記第１ウエスト域と前記第２ウエスト域との間にあり、前記横方向に対向する第３側縁を有する股下域を含み、
前記ウエスト開口および前記レッグ開口は、前記第１側縁と前記第２側縁とを前記縦方向に間欠的に溶融接合して溶融シームを形成することによって画定され、
前記股下域は、前記第３側縁に沿ってレッグ弾性部材を備えており、前記レッグ弾性部材は、帯状に形成され且つ熱可塑性繊維を含む伸縮性繊維不織布によって作られ、
前記レッグ弾性部材を形成する前記伸縮性繊維不織布は、弾性的に伸長可能な熱可塑性繊維と非弾性的に伸長可能な熱可塑性繊維とを混合して形成され、前記非弾性的に伸長可能な熱可塑性繊維が非弾性的に伸長するようにギア延伸加工処理され、
前記レッグ弾性部材の破断伸度は、前記第１ウエスト域および前記第２ウエスト域の破断伸度の３倍未満であることを特徴とする、前記物品。
【請求項２】
前記溶融シームは、前記第１側縁と前記第２側縁とが互いに溶融接合された複数の接合部位と、前記第１側縁と前記第２側縁とが互いに溶融接合されていない非接合部位とを有し、前記複数の接合部位は、前記縦方向に並び、且つ前記物品の縦中心線に対して傾斜する直線状に形成される、請求項１に記載の物品。
【請求項３】
前記複数の接合部位は、前記横方向へ２列に並んで形成され、前記縦中心線に対して傾斜する方向が、前記横方向における一方の列と他方の列とで異なる、請求項２に記載の物品。
【請求項４】
前記レッグ弾性部材は、前記縦方向における両端を有し、前記両端は、前記第１側縁および前記第２側縁に間欠的に溶融接合されて、前記溶融シームの一部を形成している、請求項１〜３のいずれか１項に記載の物品。
【請求項５】
前記レッグ弾性部材はそれぞれ、１５〜３０ｍｍの幅寸法及び１５〜４０ｇ／ｍ２の単位面積当たりの質量を有する、請求項１〜４のいずれか１項に記載の物品。
【請求項６】
前記第１ウエスト域および前記第２ウエスト域の前記破断伸度は、４０〜６０％であり、前記レッグ弾性部材の前記破断伸度は、１００〜２００％である、請求項５に記載の物品。
【請求項７】
前記レッグ弾性部材は、前記シャーシの身体側に位置する、請求項１〜６のいずれか１項に記載の物品。
【請求項８】
前記第１端縁および前記第２端縁に沿って備えられ且つ少なくとも熱可塑性繊維を含む伸縮性繊維不織布で形成されたウエスト弾性部材をさらに含む、請求項１〜７のいずれか１項に記載の物品。
【請求項９】
前記ウエスト弾性部材は、前記横方向における両端を有し、前記両端は、前記第１端縁および前記第２端縁に間欠的に溶融接合されて、前記溶融シームの一部を形成している、請求項８に記載の物品。
【請求項１０】
前記ウエスト弾性部材はそれぞれ、１５〜３０ｍｍの幅寸法及び１５〜４０ｇ／ｍ２の単位面積当たりの質量を有する、請求項８または９に記載の物品。
【請求項１１】
前記ウエスト弾性部材を形成する前記伸縮性繊維不織布は、弾性的に伸長可能な熱可塑性繊維と非弾性的に伸長可能な熱可塑性繊維とを混合して形成される、請求項８〜１０のいずれか１項に記載の物品。
【請求項１２】
前記ウエスト弾性部材を形成する前記伸縮性繊維不織布は、前記非弾性的に伸長可能な熱可塑性繊維が非弾性的に伸長するようにギア延伸加工処理されている、請求項１１に記載の物品。
【請求項１３】
前記ウエスト弾性部材の破断伸度が、前記第１ウエスト域および前記第２ウエスト域の破断伸度の３倍未満である、請求項８〜１２のいずれか１項に記載の物品。
【請求項１４】
前記第１ウエスト域および前記第２ウエスト域の前記破断伸度は、４０〜６０％であり、前記ウエスト弾性部材の前記破断伸度は、１００〜２００％である、請求項１３に記載の物品。
【請求項１５】
前記シャーシの身体側に位置する吸液構造体をさらに含む、請求項１〜１４のいずれか１項に記載の物品。
【請求項１６】
前記吸液構造体は、吸液性芯材を含み、前記吸液性芯材は、少なくともその外側表面が液拡散性シートで覆われている、請求項１５に記載の物品。
【発明の詳細な説明】
【技術分野】
【０００１】
本願は、一般にプルオン物品に関し、より詳細には、使い捨てのおむつ、排便トレーニングパンツ、失禁ブリーフ等のプルオン物品に関する。
【背景技術】
【０００２】
ウエスト開口と一対のレッグ開口とを有し、吸収性シャーシの前ウエスト域および後ウエスト域が溶融接合されることによって、立体構造を有する、プルオン物品、すなわちパンツ型着用物品は、例えば、特表２００１−５２２７０３号公報によって公知である。特表２００２−５２２７０３号公報に開示されるプルオン物品を含め公知のプルオン物品のほとんどは、外側カバーが、前ウエスト域、後ウエスト域およびこの前後ウエスト域間の股下域を含む。前ウエスト域の対向側縁は、後ウエスト域の対向側縁と溶融接合される。ウエスト開口およびレッグ開口には、それぞれ、ゴム製のストランド状の弾性部材を取り付けられることにより、これらの開口を画定している縁が、着用者の身体に密接することができる。これらの弾性部材は、両端において溶融シームに重なっており、この両端が外側カバーと一緒に溶融されることによって、脱落を防いでいる。
【先行技術文献】
【特許文献】
【０００３】
【特許文献１】特表２００１−５２２７０３号公報
【０００４】
上記物品の使用後は、溶融シームを解いて前ウエスト域と後ウエスト域とを互いに引き離し、この着用物品を着用者から外すことができる。このように外すことにより、排泄物が着用者の脚または他の領域に付着するのを防ぐことができる。この溶融シームを解く際には、着用者または介助者は、両手で前ウエスト域と後ウエスト域とを持って対向方向外側に引っ張ればよい。それぞれの溶融シームは、前ウエスト域と後ウエスト域とが引き離されることにより、ウエスト開口の近傍で解ける。しかし、着用者または介助者が持っているウエスト開口から離れたレッグ開口の近傍では、溶融シームが上手く解けないことがある。この場合、前ウエスト域および後ウエスト域を形成している外側カバーが溶融シームの横方向内側において不規則に破れることにより、溶融シームがスムーズに解けない。
【０００５】
さらに、外側カバーが破れた後でさえ、レッグ弾性部材およびウエスト弾性部材、特にウエスト弾性部材は、それぞれの溶融シームに対し強固に溶融接合したまま残り、溶融シームから容易に脱落しない。しかし、前ウエスト域および後ウエスト域の側縁が対向方向にさらに引っ張られた場合、レッグ弾性部材は、溶融シームから脱落するまで破れた外側カバーと溶融シームとの間でさらに引き伸ばされる。この際、スナップバックしたレッグ弾性部材が、着用者または介助者の両手に当たってしまう場合がある。
【０００６】
本発明者らは、何故上記公知物品が上述の問題を有するかについて、いくつかの理由を考えた。その理由の１つは、上記公知物品は、外側カバーとレッグ弾性部材およびウエスト弾性部材との間の破断伸度差が大きいことである。具体的には、外側カバーの破断伸度は、約４０〜６０％であり、レッグ弾性部材およびウエスト弾性部材の破断伸度は、上記ストランド状弾性部材が比較的大きな破断伸度を有するゴム材でできているので、少なくとも４００％である。また別の理由としては、ウエスト開口を持って対向方向に引き離した場合、ウエスト開口から離れているレッグ開口に向かって引っ張る速度が速くなることである。このような高速の引張力が、溶融シームを解くことよりも外側カバーを破ることに関わると考えられる。
【０００７】
本発明の１つ以上の実施形態についての目的の１つは、外すときに前ウエスト域および後ウエスト域の側縁の溶融シームが解かれた際、着用者および介助者の手にレッグ弾性部材およびウエスト弾性部材が当たって不快になることのない、プルオン物品を提供することである。
【０００８】
本発明の１つ以上の実施形態についての別の目的は、着用者の大腿とウエストとに不快な圧迫感を与えず、且つ着用者の大腿とウエストとによく密着して着用者が排泄した排泄物がウエスト開口縁およびレッグ開口縁から漏れることを防ぐ、プルオン物品を提供することである。
【０００９】
本発明の１つ以上の実施形態についてのさらなる目的は、着用者の大腿およびウエスト周りに比較的広い領域にわたって効率的に密着するレッグ弾性部材およびウエスト弾性部材を設けた、プルオン物品を提供することである。
【００１０】
本発明の１つ以上の実施形態についてのさらなる目的は、第１ウエスト域および第２ウエスト域の溶融シームが解かれた際、第１ウエスト域および第２ウエスト域の溶融シームの近傍であってレッグ弾性部材およびウエスト弾性部材が接合されている領域において、これらの弾性部材が破断可能であり、従って第１ウエスト域および第２ウエスト域の側縁が対向方向へ互いにスムーズに分離する、プルオン物品を提供することである。
【発明の概要】
【００１１】
本発明の１つ以上の実施形態は、第１ウエスト域および第２ウエスト域およびこれら第１ウエスト域と第２ウエスト域との間の股下域を含むシャーシを備えたプルオン物品に関する。この股下域は、一対のレッグ開口の縁に沿って、バンド形状に形成されたレッグ弾性部材を備える。第１ウエスト域および第２ウエスト域もまた、ウエスト開口を画成する縁に沿って、バンド形状に形成されたウエスト弾性部材を備える。第１ウエスト域および第２ウエスト域は、溶融接合されて溶融シームを形成する側縁を有する。第１ウエスト域および第２ウエスト域、ならびにレッグ弾性部材およびウエスト弾性部材は、それぞれ少なくとも熱可塑性繊維を含む繊維不織布でできており、ここで、レッグ弾性部材およびウエスト弾性部材は、熱可塑性繊維として、少なくとも弾性的に伸長可能な繊維を含む。着用者からこの物品が外されるときに、第１ウエスト域および第２ウエスト域の溶融シームは、着用者または介助者の手によって、溶融シームに沿って解かれる。
【００１２】
好ましくは、レッグ弾性部材およびウエスト弾性部材は、少なくとも１５の幅寸法を有し、そしてそれぞれ少なくとも１５ｇ／ｍ２の単位面積当たりの質量を有し、第１ウエスト域および第２ウエスト域の破断伸度（％）の３倍未満の破断伸度を有する。
【００１３】
本発明の１つ以上の実施形態は、縦方向と縦方向に直交する横方向とを有するプルオン物品に関する。この物品は、繊維性材料のシャーシを含み、縦方向に、対向する第１ウエスト域および第２ウエスト域ならびにこれらの間に存在する股下域を有する。両ウエスト域の横方向対向側縁は、溶融シームにおいて縦方向に間欠的に接合されて、ウエスト開口およびレッグ開口を形成する。この物品はさらに、ウエスト開口およびレッグ開口のうちの少なくとも一方の周囲に沿って取り付けられてウエスト弾性部材またはレッグ弾性部材のいずれかを形成する少なくとも１本の不織布のバンドを含む。この弾性部材の末端における弾性不織布は、溶融シームの少なくとも１つにおいて、シャーシの繊維性材料と間欠的に接合される。この弾性部材の弾性不織布の破断伸度は、第１ウエスト域および第２ウエスト域におけるシャーシの繊維性材料の破断伸度の３分の１未満である。
【００１４】
本発明の１つ以上の実施形態は、縦方向と縦方向に直交する横方向とを有するプルオン物品に関する。この物品は、繊維性材料のシャーシを含み、縦方向に、対向する第１ウエスト域および第２ウエスト域ならびにこれらの間に存在する股下域を有する。両ウエスト域の横方向対向側縁は、溶融シームにおいて縦方向に間欠的に接合されて、ウエスト開口およびレッグ開口を形成する。この物品はさらに、ウエスト開口およびレッグ開口のうちの少なくとも一方の周囲に沿って取り付けられてウエスト弾性部材またはレッグ弾性部材のいずれかを形成する少なくとも１本の弾性不織布のバンドを含む。この弾性部材の末端における弾性不織布は、溶融シームの少なくとも１つにおいて、シャーシの繊維性材料と間欠的に接合される。溶融シームの上記少なくとも１つの近傍におけるこの弾性不織布は、第１ウエスト域と第２ウエスト域とを互いに分離するのに十分な引張力に対応して破断可能であり、これにより、使用後に着用者からこの物品を取り外す際に、第１ウエスト域と第２ウエスト域との速やかな分離を容易にする。
【図面の簡単な説明】
【００１５】
【図１】図１は、プルオン物品のウエスト開口とレッグ開口とを広げた状態の斜視図である。説明のために、一部を破断して示す。
【図２】図２は、物品を展開した平面図である。説明のために、一部を破断して示す。
【発明を実施するための形態】
【００１６】
代表的な実施形態の詳細を、添付の図面を参照し、プルオン物品である使い捨ておむつを例にとって説明する。なお、図面において、縦方向をＹで示し、縦方向に直交する横方向をＸで示す。
【００１７】
図１および図２を参照すると、この実施形態に係るおむつ１０は、いわゆるプルオン型のおむつである。おむつ１０は、前ウエスト域１１、後ウエスト域１２および前ウエスト域と後ウエスト域との間の股下域とを有するシャーシ２０を含む。
【００１８】
このシャーシ２０はさらに、身体側内面を形成する身体側ライナー２１と、非身体側外面を形成する外側カバー２２とを備える。シャーシ２０は、横方向Ｘにそれぞれ対向する、前ウエスト域１１に位置する前側縁２３と、後ウエスト域１２に位置する後側縁２４と、股下域１３に位置する股下側縁２５とを含む。さらに、シャーシ２０は、縦方向Ｙに対向するシャーシ前後端縁２６，２７を含む。
【００１９】
おむつ１０は、身体側ライナー２１と外側カバー２２との間に位置する吸液構造体４０をさらに備える。吸液構造体４０は、吸液性芯材４１と、これを覆う液拡散シート４２と、液拡散シート４２と外側カバー２２との間に位置する漏れ防止シート４３とを含む。この吸液構造体４０は、少なくとも股下域１３に位置し、この股下域１３から前後ウエスト域１１，１２に向かって縦方向Ｙに延びている。
【００２０】
吸液構造体４０は、横方向Ｘに対向する吸液両側縁４４，４４と、縦方向Ｙに対向する吸液前後端縁４５，４６とを含み、吸液両側縁４４，４４は、股下域１３において、縦中心線Ｐ−Ｐに向かって湾曲し、横方向Ｘの幅寸法が短くなるようにしている。このように幅寸法が短くなることによって、吸液構造体４０が嵩張らずに着用者の股下に密着するようにしている。吸液両側縁４４，４４の横方向Ｘの外側に向かって、身体側ライナー２１と外側カバー２２とが延出し、これら延出した身体側ライナー２１と外側カバー２２との間には、バンドとしてのレッグ弾性部材５０が取り付けられている。また、吸液前後端縁４５，４６の縦方向Ｙの外側にも身体側ライナー２１と外側カバー２２とが延出し、これら身体側ライナー２１と外側カバー２２との間にはバンドとしてのウエスト弾性部材６０が取り付けられている。
【００２１】
本実施形態においては吸液構造体が存在しているが、吸液構造体は省略されてもよく、あるいは異なる形態であってもよい。
【００２２】
さらに、ウエスト弾性部材を省略するか、または代替の形態にしてもよい。例えば、ウエスト弾性部材は、レッグ弾性部材とは異なる形状であってもよく、または異なる弾性特性を有していてもよい。
【００２３】
レッグ弾性部材５０およびウエスト弾性部材６０は、少なくとも熱可塑性繊維を含む弾性繊維不織布によって形成されている。具体的には、レッグ弾性部材５０は、例えば熱可塑性のポリエチレン繊維、ポリプロピレン繊維およびポリエチレン繊維とポリオレフィン繊維との混合物などの熱可塑性のポリオレフィン繊維と、例えば熱可塑性のポリウレタン繊維などの熱可塑性の弾性的に伸長可能な繊維とを含み、混合比１：１で単位面積当たりの質量が約１５〜４０ｇ／ｍ２、例えば約３５ｇ／ｍ２である繊維不織布を用いる。結果として、この繊維不織布は、非弾性的に伸長可能な繊維を含むが、伸長性である。用語「非弾性的に伸長可能」とは、不織布が、伸長によって長さ方向に可塑的に変形することによって伸長可能であることを意味する。次いで、この繊維不織布は、周知のギア延伸加工されることにより、非弾性的に伸長可能な繊維が、非弾性的に伸長する。ギア延伸加工において、繊維不織布は、互いにかみ合って回転する一対のギアの間を通される。一方のギアの歯先が他方のギアの溝の底から間隔をあけた状態で互いにかみ合うことができる一対のギアを使用することが、好ましい。不織布は、ゴムの性質を有さない非弾性的に伸長可能な繊維を十分な含量で含んでいて、それゆえに使用者に対し布のような感触を提供することに留意されたい。
【００２４】
レッグ弾性部材５０はそれぞれ、股下域１３の股下側縁２５に沿って、伸長状態で収縮可能にシャーシ２０に接着剤で取り付けられている。より詳細には、レッグ弾性部材５０は、前後端部５１，５２から横中心線Ｑ−Ｑに向かうにしたがって縦中心線Ｐ−Ｐへと湾曲している。このようなレッグ弾性部材５０の前端部５１は、前ウエスト域１１に位置し、後端部５２は、後ウエスト域１２に位置している。それぞれのレッグ弾性部材５０は、少なくとも前後端部５１，５２の付近において、約１５〜３０ｍｍ、好ましくは約２０ｍｍの幅寸法を有する。ここで幅寸法とは、図２の縦方向Ｙの長さ寸法をいう。このようにレッグ弾性部材５０を形成することによって、股下域１３の股下側縁２５を着用者の股下に密着させることができ、この股下側縁２５からの尿等の漏れを防止することができる。
【００２５】
ウエスト弾性部材６０は、シャーシ前後端縁２６，２７に沿って、横方向Ｘに伸長状態で収縮可能にシャーシ２０に接着剤で取り付けられている。シャーシ前端縁２６に沿って延びるウエスト弾性部材６０の両端部６１，６１は、前側縁２３にそれぞれ位置し、シャーシ後端縁２７に沿って延びるウエスト弾性部材６０の両端部６１，６１は、後端縁２４にそれぞれ位置している。それぞれのウエスト弾性部材６０は、少なくともその両端部６１，６１において約１５〜３０ｍｍ、好ましくは約２０ｍｍの幅寸法を有する。
【００２６】
上記のようなおむつ１０は、前ウエスト域１１と後ウエスト域１２をそれぞれの前後側縁２３，２４に沿って互いに接合して溶融シーム３０を形成することにより、プルオン型おむつ、すなわち、パンツ型おむつになる。このようにパンツ型おむつが形成されることによって、シャーシ前端縁２６は、シャーシ後端縁２７と共にウエスト開口２８を形成し、股下域１３の股下側縁２５によってレッグ開口２９が形成される。
【００２７】
溶融シーム３０は、例えば周知の超音波溶融技術によって形成されていてもよく、身体側ライナー２１と外側カバー２２とが互いに溶融接合された複数の接合部位３１と、身体側ライナー２１と外側カバー２２とが互いに溶融接合されていない複数の非接合部位３２とを有する。接合部位３１は、縦方向Ｙに間欠的に並んでいて、具体的には、接合部位３１と非接合部位３２とが、縦方向Ｙに交互に並んで形成されている。より具体的には、接合部位３１は、２列に並んで形成されて、接合部位３１と非接合部位３２とが、縦方向Ｙのみならず横方向Ｘにも交互に並ぶように形成されている。溶融シーム３０が形成された前ウエスト域１１の前側縁２３および後ウエスト域１２の後側縁２４には、レッグ弾性部材５０の前後端部５１，５２およびウエスト弾性部材６０の両端部６１，６１がそれぞれ位置している。好ましくは、レッグ弾性部材５０の前後端部５１，５２およびウエスト弾性部材６０の両端部６１，６１もまた、前後ウエスト域１１，１２のそれぞれの前後側縁２３，２４と溶融接合している。レッグ弾性部材５０およびウエスト弾性部材６０の各端部５１，５２，６１と、溶融シーム３０とが重なる部分においては、少なくとも接合部位３１と非接合部位３２とが一箇所ずつ形成されるようにしている。
【００２８】
なお、図２における溶融シーム３０、接合部位３１および非接合部位３２は、説明のために仮想線で示されたものであり、図１のそれぞれに対応して示されている。
【００２９】
上記のようなおむつ１０を着用者から外すときには、排泄物が着用者の脚に付着しないようにするために、前後ウエスト域１１，１２を開くように前後ウエスト域１１，１２の前後側縁２３，２４の溶融シーム３０を解くことができる。
【００３０】
上記溶融シーム３０を解く際には、着用者または介助者の一方の手で前ウエスト域１１の前側縁２３近傍を、横方向Ｘから見て溶融シーム３０に沿って挟持し、他方の手で後ウエスト域１２の後側縁２４近傍を、横方向Ｘから見て溶融シーム３０に沿って挟持して、互いに引き離すことができる。次いで、それぞれの手で挟持した、ウエスト開口２８を形成しているシャーシ２０のシャーシ前後端縁２６，２７を、レッグ開口２９に向かって引っ張る。上述の通り、ウエスト弾性部材６０は、シャーシ前後端縁２６，２７に沿ってシャーシ２０に接着剤で取り付けられていて、さらには、ウエスト弾性部材６０の両端部６１，６１は、身体側ライナー２１および外側カバー２２に、それぞれの溶融シーム３０によって溶融接合されている。同様に、レッグ弾性部材５０は、それぞれの股下側縁２５に沿ってシャーシ２０に接着剤で取り付けられていて、さらには、それぞれのレッグ弾性部材５０は、身体側ライナー２１および外側カバー２２に、それぞれの溶融シーム３０によって溶融接合されている。
【００３１】
レッグ弾性部材５０およびウエスト弾性部材６０は、それぞれ熱可塑性繊維を含む伸縮性繊維不織布によって形成されているので、これら弾性部材５０，６０は、溶融されて、レッグ弾性部材およびウエスト弾性部材と同様に熱可塑性繊維（弾性的に伸長可能な繊維を除く）でできた身体側ライナー２１および外側カバー２２に接合している。これら弾性部材５０，６０の単位面積当たりの質量は、約１５〜４０ｇ／ｍ２、好ましくは約３５ｇ／ｍ２である。
【００３２】
これら弾性部材５０，６０は、それぞれ、バンド形状に形成されている。レッグ弾性部材５０およびウエスト弾性部材６０は、少なくとも溶融シーム３０とそれぞれ重なっている部分において、約１５〜３０ｍｍ、好ましくは約２０ｍｍの幅寸法を有し、ストランド状のものを用いた場合に比べてその幅方向の寸法が大きい。
【００３３】
これら身体側ライナー２１および外側カバー２２ならびにレッグ弾性部材５０およびウエスト弾性部材６０を剥離し、溶融シーム３０を解くことによって、溶融シーム３０において前後ウエスト域１１，１２を互いに引き離すことができる。これにより、レッグ弾性部材５０およびウエスト弾性部材６０が、これらのスナップバックの際に着用者または介助者の手に弾くことを防止することができる。
【００３４】
このように弾くことを効果的に防止するために、弾性部材それぞれの破断伸度（％）が前後ウエスト域の破断伸度の約３倍未満であることが好ましい。具体的には、前者の破断伸度が１００〜２００％であり、後者の破断伸度が４０〜６０％であることが、好ましい。
【００３５】
破断伸度の値（％）は、ＪＩＳ  Ｌ  １９１３０（１９９８）に従う引っ張り試験に基づくが、以下の測定条件を用いた。
サンプルの幅寸法：２５ｍｍ
伸長速度：１００ｍｍ／分
チャック間の距離：  １００ｍｍ
日本で市販されているおむつの一例において、レッグ弾性部材およびウエスト弾性部材ならびに前後ウエスト域のそれぞれの破断伸度は、以下であったことに留意されたい。
レッグ弾性部材：４００〜５００％
前後ウエスト域：４０〜６０％
【００３６】
レッグ弾性部材５０およびウエスト弾性部材６０は、繊維で形成されているため、従って、身体側ライナー２１および外側カバー２２が、溶融シーム３０が解かれる際に破れたとしても、レッグ弾性部材５０およびウエスト弾性部材６０は、身体側ライナー２１および外側カバー２２が破れるのと共に解けて、横方向Ｘに引き離される。詳細には、レッグ弾性部材５０およびウエスト弾性部材６０は、接合部位３１および非接合部位３２を含むことによって、非接合部位３２における繊維が、接合部位３１の周囲で対向方向に引っ張られるので、堅く破断しない点として機能することができ、レッグ弾性部材およびウエスト弾性部材の繊維が、接合部位３１の周囲で交絡が外れる。非接合部位３２が形成されず、接合部位３１が縦方向Ｙに連続的に形成されていた場合には、その周囲で繊維の交絡が外れることができる基点として機能する点がないため、レッグ弾性部材およびウエスト弾性部材の繊維は容易に引き離されることはなく、弾性部材は容易に破断しない。
【００３７】
さらに、レッグ弾性部材５０およびウエスト弾性部材６０を形成する弾性化された繊維不織布は、上述の延伸加工処理を受けているため、レッグ弾性部材５０およびウエスト弾性部材における非弾性的に伸長可能な繊維は、部分的にその径が細くなっているので、容易に交絡が解ける。繊維の交絡が解けることにより、繊維不織布は破断しやすくなる。
【００３８】
本明細書中で記載されるウエスト弾性部材６０は、シャーシ２０のシャーシ前後端縁２６，２７の近傍に位置するが、弾性部材６０は、さらに股下域１３にも形成されてもよく、これにより、前後ウエスト域１１，１２が、着用者のウエスト全体に密着することができる。上記レッグ弾性部材５０およびウエスト弾性部材６０の幅寸法は一例であり、この数値に限定されるものではない。特に、大人用または乳幼児用の着用物品であるかによって、弾性部材の幅寸法は異なり、また、同じ大人用または乳幼児用の着用物品であってもそのサイズによって異なり、適宜最適寸法の選択が可能である。
【００３９】
本発明において、シャーシ２０を身体側ライナー２１および外側カバー２２によって形成することとしているが、これらのいずれか一方によって形成することができる。この場合には、レッグ弾性部材５０およびウエスト弾性部材６０の一方の面のみをシャーシ２０に接合する。レッグ弾性部材５０およびウエスト弾性部材６０を繊維不織布にすることによって、ストランド等の弾性部材を使用する場合よりも、接合面積を大きくすることができるから、その分接合強度を大きくすることができ、弾性部材５０，６０を身体側ライナー２１および外側カバー２２の２枚で挟んで固定する必要がない。さらに、別の視点からもまた、弾性部材５０，６０を身体側ライナー２１および外側カバー２２の２枚で挟んで固定する必要がないといえる。具体的には、これら弾性部材５０，６０は、熱可塑性繊維を含む繊維不織布によって形成されているので、弾性部材５０，６０自身が溶融しシャーシ２０に接合することができ、したがって、部材点数を減少させることができるとともに、製造工程の減少も図ることができる。
【００４０】
レッグ弾性部材５０およびウエスト弾性部材６０であって溶融シーム３０で接合されている前後端部５１，５２および両端部分６１は、その幅寸法を少なくとも１５ｍｍとしているので、レッグ弾性部材５０およびウエスト弾性部材６０と身体側ライナー２１および外側カバー２２との接合面積を効果的に大きくすることができる。したがって、使用時に、レッグ弾性部材５０およびウエスト弾性部材６０が、身体側ライナー２１および外側カバー２２から抜けるのを抑制することができる。
【００４１】
記載の実施形態において、溶融シーム３０の接合部位３１は、縦中心線Ｐ−Ｐに対して傾斜して形成されるようにされているが、これが縦中心線Ｐ−Ｐと直交あるいは平行するような直線で形成されていてもよいし、曲線またはドット状に形成されるようにしても良い。
【００４２】
この実施形態では、身体側ライナー２１および外側カバー２２によって、前後ウエスト域１１，１２および股下域１３が形成される構成としているが、例えば、各域がそれぞれ別のユニットである前ウエストユニット、後ウエストユニットおよび股下ユニット等によって形成され、これらを接続させて物品を形成するようなものであってもよい。そのような場合には、レッグ弾性部材が股下ユニットには存在することなく、前後ウエストユニットにのみ存在したり、股下ユニットに位置する弾性部材がレッグ弾性部材を兼用したりする実施態様もまた、可能である。
【００４３】
身体側ライナー２１および外側カバー２２ならびにレッグ弾性部材５０およびウエスト弾性部材６０として、例えば、スパンポンド繊維不織布、または、スパンボンド・メルトブローン・スパンボンド（ＳＭＳ）の複合繊維不織布のような複合繊維からなる繊維不織布、エアスルー繊維不織布および溶融結合された繊維不織布など、当技術分野の慣用素材を用いることができる。レッグ弾性部材５０およびウエスト弾性部材６０の繊維不織布については、上述の通りである。漏れ防止シート４３は、不透湿性のプラスチックフィルム等、吸液性芯材４１は、当技術分野の慣用素材、例えば、フラッフパルプと高吸収性ポリマー粒子と、必要に応じて熱可塑性の短繊維との混合物を用いることができる。溶融シーム３０は、超音波処理またはヒートシール処理等、当技術分野の慣用技術によって形成することができる。
【００４４】
本願発明の上述の形態として、少なくとも以下の項目を挙げることができる。
（１）前記プルオン物品は、縦方向Ｙおよび前記縦方向に直交する横方向Ｘを有し、
シャーシ２０と、ウエスト開口２８と、一対のレッグ開口２９とを備え、
前記シャーシは、前記横方向に対向する第１側縁２３と、前記第１側縁の間の第１端縁２６とを有し、少なくとも熱可塑性の繊維を含む繊維不織布で形成された第１ウエスト域１１、前記横方向に対向する第２側縁２４と、前記第２側縁の間にあり且つ前記第１端縁と前記縦方向に対向する第２端縁２７とを有し、少なくとも熱可塑性の繊維を含む繊維不織布で形成された第２ウエスト域１２、および前記第１ウエスト域と前記第２ウエスト域との間にあり、前記横方向に対向する第３側縁２５を有する股下域１３を含み、
前記ウエスト開口２８および前記レッグ開口２９は、前記第１側縁２３と前記第２側縁２４とを前記縦方向に間欠的に溶融接合して溶融シーム３０を形成することによって画定され、
前記股下域は、前記第３側縁に沿ってレッグ弾性部材５０を備えており、前記レッグ弾性部材は、帯状に形成され且つ少なくとも熱可塑性繊維を含む伸縮性繊維不織布によって作られ、
前記レッグ弾性部材５０を形成する前記伸縮性繊維不織布は、弾性的に伸長可能な熱可塑性繊維と非弾性的に伸長可能な熱可塑性繊維とを混合して形成され、前記非弾性的に伸長可能な熱可塑性繊維が非弾性的に伸長するようにギア延伸加工処理され、
前記レッグ弾性部材５０の破断伸度は、前記第１ウエスト域１１および前記第２ウエスト域１２の破断伸度の３倍未満であることを特徴とする。
【００４５】
上記項目（１）に記載の本願発明の形態は、以下の１つ以上の有利な効果を提供し得る。
（ａ）着用者および介助者の手が、物品を脱ぐ際に前後ウエスト域の側縁の溶融シームを解いたとき、レッグ弾性部材によって強く叩かれることがない。
（ｂ）この物品は、着用者の大腿部に不快な圧力をかけることがなく、着用者の大腿に対して優れた密閉効果を提供するため、着用者が排泄した排泄物がレッグ開口縁から漏れるのを効果的に防止する。
（ｃ）この物品は、レッグ弾性部材により、着用者の大腿まわりの比較的広い領域に亘って、効果的に密閉することができる。
（ｄ）このレッグ弾性部材は、弾性部材が前後ウエスト域に取り付けられていて、前後ウエスト域の側縁の溶融シームが解けるときに、溶融シームの近傍において破断可能であり、それにより、側縁をスムーズに対向方向に引き離すことができる。
【００４６】
さらに、以下の実施態様の１つ以上が、さらなる形態において提供される。
（１）前記レッグ弾性部材５０は、前記縦方向における両端５１，５２を有し、前記両端は、前記第１側縁２３および前記第２側縁２４に間欠的に溶融接合されて、前記溶融シームの一部を形成している。
（２）前記レッグ弾性部材５０はそれぞれ、約１５〜３０ｍｍの幅寸法及び１５〜４０ｇ／ｍ２の単位面積当たりの質量を有する。
（３）前記溶融シーム３０は、前記第１側縁２３と前記第２側縁２４とが互いに溶融接合された複数の接合部位３１と、前記第１側縁２３と前記第２側縁２４とが互いに溶融接合されていない非接合部位３２とを有し、前記複数の接合部位３１は、前記縦方向Ｙに並び、且つ前記物品の縦中心線Ｐ−Ｐに対して傾斜する直線状に形成される。
（４）前記複数の接合部位３１は、前記横方向Ｘへ２列に並んで形成され、前記縦中心線Ｐ−Ｐに対して傾斜する方向が、前記横方向Ｘにおける一方の列と他方の列とで異なる。
（５）前記第１ウエスト域１１および前記第２ウエスト域１２の前記破断伸度は、４０〜６０％であり、前記レッグ弾性部材の前記破断伸度は、１００〜２００％である。
（６）前記レッグ弾性部材５０は、前記シャーシの身体側の面２１に位置する。
（７）前記第１端縁２６および前記第２端縁２７に沿って備えられ且つ少なくとも熱可塑性繊維を含む伸縮性繊維不織布で形成されたウエスト弾性部材をさらに含む。この実施形態の利点は、以下である。
前記ウエスト弾性部材は、前記第１ウエスト域および前記第２ウエスト域に取り付けられている場合、前記第１ウエスト域および前記第２ウエスト域の側縁の前記溶融シームが解ける際に、溶融シームの近傍で破断可能であり、それによって、側縁をスムーズに対向方向に引き離すことが可能になる。
（８）前記ウエスト弾性部材は、前記横方向における両端６１を有し、前記両端は、前記第１端縁および前記第２端縁に間欠的に溶融接合されて、前記溶融シームの一部を形成している。
（９）前記ウエスト弾性部材６０はそれぞれ、１５〜３０ｍｍの幅寸法及び１５〜４０ｇ／ｍ２の単位面積当たりの質量を有する。
（１０）前記ウエスト弾性部材を形成する前記伸縮性繊維不織布は、弾性的に伸長可能な熱可塑性繊維と非弾性的に伸長可能な熱可塑性繊維とを混合して形成される。
（１１）前記ウエスト弾性部材を形成する前記伸縮性繊維不織布は、前記非弾性的に伸長可能な熱可塑性繊維が非弾性的に伸長するようにギア延伸加工処理されている。
（１２）前記ウエスト弾性部材６０の破断伸度が、前記第１ウエスト域１１および前記第２ウエスト域１２の破断伸度の３倍未満である。
（１３）前記第１ウエスト域１１および前記第２ウエスト域１２の前記破断伸度は、４０〜６０％であり、前記ウエスト弾性部材６０の前記破断伸度は、１００〜２００％である。
（１４）前記ウエスト弾性部材は、シャーシ２０の前記身体側の面２１に位置する。
（１５）前記シャーシ２０の前記身体側の面２１に位置する吸液構造体４０をさらに含む。
（１６）前記吸液構造体４０は、シャーシ２０の前記身体側の面２１に位置する吸液性芯材４１を含み、前記吸液性芯材は、少なくともその外側表面が液拡散性シート４２で覆われている。
【００４７】
上記（２）〜（１９）の態様に従って、上記（ａ）〜（ｄ）に記載の有利な効果の１つ以上がよりよく達成される。それぞれの実施態様のさらなる有利な効果は、それぞれに対応する説明において議論されている。
（１９）前記プルオン物品１０は、縦方向Ｙおよび前記縦方向に直交する横方向Ｘを有し、
繊維素材のシャーシ２０を備え、前記シャーシ２０は、前記縦方向に対向する第１ウエスト域１１および第２ウエスト域１２ならびにそれらの間に位置する股下域１３を備え、前記両ウエスト域１１，１２の前記横方向に対向する側縁２３、２４が溶融シーム３０において前記縦方向に間欠的に接合されてウエスト開口２８と、一対のレッグ開口２９と形成し、弾性化不織布のバンド５０，６０の少なくとも１つが、ウエスト周りおよびレッグ周りの少なくとも１方に沿って取り付けられてウエスト弾性部材およびレッグ弾性部材の少なくとも１つを形成し、弾性化不織布は、前記弾性部材の両端５１，６１においてシャーシの繊維素材に少なくとも１つの溶融シームにおいて間欠的に接合され、そして前記弾性部材の前記弾性化不織布の破断伸度は、前記第１および第２ウエスト域における前記シャーシの繊維素材の破断伸度の３倍未満である。
【００４８】
上記項目（１９）に記載の本願発明の形態は、上記（ａ）〜（ｄ）に記載の有利な効果の１つ以上を提供し得る。
（２０）前記物品は、ウエスト開口およびレッグ開口に沿って弾性ストランドを有さない。結果として、（ａ）および／または（ｄ）の有利な効果が達成される。
（２１）プルオン物品１０は、縦方向Ｙおよび前記縦方向Ｙに直交する横方向Ｘを有し、繊維素材のシャーシ２０を備え、前記シャーシ２０は、前記縦方向に対向する第１ウエスト域１１および第２ウエスト域１２ならびにそれらの間に位置する股下域１３を備え、前記両ウエスト域１１，１２の前記横方向に対向する側縁２３、２４が溶融シーム３０において前記縦方向に間欠的に接合されてウエスト開口２８と、一対のレッグ開口２９と形成し、
弾性化不織布のバンド５０，６０の少なくとも１つが、ウエスト周りおよびレッグ周りの少なくとも１方に沿って取り付けられてウエスト弾性部材およびレッグ弾性部材の少なくとも１つを形成し、弾性化不織布は、前記弾性部材の両端５１，６１においてシャーシの繊維素材に少なくとも１つの溶融シームにおいて間欠的に接合され、そして前記少なくとも１つの溶融シームの近傍において、前記弾性化不織布は、引っ張る力（図示せず）に応じて、前記第１および第２ウエスト域を互いに引き離すのに十分に破断可能であり、それによって前記物品を使用後に取り外す際に、前記第１および第２ウエスト域をスムーズに引き離すことができる。この点は、上記（ｄ）で議論されている通りである。上記（ａ）〜（ｃ）および（ｅ）に記載の有利な効果もまた、得られ得る。
【００４９】
本明細書中で、用語「第１」、「第２」および「第３」は、類似の要素を識別するためにのみ使用される。さらに、本明細書中で「第１ウエスト域」という語は、前後ウエスト域のいずれかを意味し、「第２ウエスト域」という語は、他方を意味する。
【図１】
0005498498.tif 000002
【図２】
0005498498.tif 000003